(57)【要約】【課題】本発明は架設ケーブルに外挿する保護カバーにおいて、該保護カバーを形成するケーブル外挿筒体の母線上に形成されたケーブル導入口の自然拡開を有効に防止し、ケーブル外挿筒体の脱落を有効に防止するケーブル保護カバーにおける開き止め具を提供する。【解決手段】ケーブル外挿筒体１の一端面から他端面に亘り割設したケーブル導入口３の一方の口縁部４に外方へ向けフック形係止片６を突設すると共に、他方の口縁部５に外方へ向け該フック形係止片６の先端部内面に掛け合わされる内掛け片７を突設し、該掛け合わせ状態において上記筒壁２内面で開放された溝９を画成するケーブル保護カバーにおいて、上記溝９の端部に挿入されて上記内掛け片７の内方変位を制限するキー部材１１と、上記一方口縁部４と他方口縁部５内面に沿接してキー部材１１の挿入をガイドする張り出し１２を設けたケーブル保護カバーにおける開き止め具１０。【選択図】        図１０
2006340554.tif 000002
【特許請求の範囲】
【請求項１】
一端面と他端面で開放せるケーブル外挿筒体の筒壁に一端面から他端面に亘り一母線上において割設し延在せしめたケーブル導入口を有し、該ケーブル導入口によって二分される一方の口縁部に外方へ向けフック形係止片を突設すると共に、他方の口縁部に外方へ向け該フック形係止片の先端部内面に掛け合わされる内掛け片を突設し、該掛け合わせの解除にて上記ケーブル導入口を開放し上記ケーブル外挿筒体内への架設ケーブルの導入を図り、該掛け合わせにて上記ケーブル導入口の閉鎖状態を保持し、該掛け合わせ状態において上記筒壁内面で開放し且つ同筒壁一端と他端において開放された溝を画成する構成としたケーブル保護カバーにおいて、上記溝の端部に挿入されて上記内掛け片の内方変位を制限するキー部材を有し、該キー部材に上記一方口縁部と他方口縁部内面に沿接してキー部材の挿入をガイドする張り出しを設けたことを特徴とするケーブル保護カバーにおける開き止め具。
【請求項２】
上記キー部材の一端部に上記溝の端面においてフック形係止片又は内掛け片の端面に衝合してキー部材の挿入深さを設定するストッパーを設けたことを特徴とする請求項１記載のケーブル保護カバーにおける開き止め具。
【請求項３】
上記キー部材に上記筒壁に設けたほぞ孔に圧入し仮止めして置くためのほぞを設けたことを特徴とする請求項１又は２記載のケーブル保護カバーにおける開き止め具。
【発明の詳細な説明】
【技術分野】
【０００１】
本発明は樹木や建物に接近する部位に架設されたケーブルを保護するケーブル保護カバー、殊に該ケーブル保護カバー側面に割設されたケーブル導入口の閉鎖状態を保持する開き止め具に関する。
【背景技術】
【０００２】
図１に示すように、現在汎用されているケーブル保護カバーは、一端面と他端面で開放せるケーブル外挿筒体１から成り、該ケーブル外挿筒体１の筒壁２に一端面から他端面に亘り一母線上において割設し延在せしめたケーブル導入口３を有し、該ケーブル導入口３によって二分される一方の口縁部４に外方へ向けフック形係止片６を突設すると共に、他方の口縁部５に外方へ向け該フック形係止片６の先端部内面に掛け合わされる内掛け片７を突設し、該掛け合わせの解除にて上記ケーブル導入口３を開放し上記ケーブル外挿筒体１内への架設ケーブル８、即ち電力ケーブル又は通信ケーブルとこれらケーブル８ａを吊持する吊りケーブル８ｂの導入を図り、導入後、上記フック形係止片６に内掛け片７を掛け合わせすることにより上記ケーブル導入口３の閉鎖状態を保持する構成を有している。
【０００３】
上記ケーブル外挿筒体１とフック形係止片６と内掛け片７は合成樹脂にて一体成形され、ケーブル外挿筒体１はフック形係止片６に対する内掛け片７の掛け合わせを解除することによって、ケーブル導入口３において拡縮弾性を有し、該ケーブル外挿筒体１の弾性に抗してこれを縮閉しつつ上記フック形係止片６の内面に内掛け片７を掛け合わせることによって、上記筒壁２内面で開放し且つ同筒壁２一端と他端において開放せる溝９を画成する構成となっている。
【発明の開示】
【発明が解決しようとする課題】
【０００４】
然るに上記ケーブル保護カバーは外気温の変化、或いは雪の重みや暴風雨による変形により、上記フック形係止片６と内掛け片７の掛け合わせが外れ、即ちフック形係止片６と内掛け片７の掛け合わせが自然解除され、ケーブルから脱落する問題を有している。
【課題を解決するための手段】
【０００５】
本発明は上記ケーブルからケーブル保護カバーが自然脱落する問題を適切に解決するケーブル保護カバーにおける開き止め具を提供するものである。
【０００６】
前記の通り、上記ケーブル保護カバーは上記フック形係止片６と内掛け片７の掛け合わせにより筒壁２内面で開放し且つ同筒壁２一端と他端において開放された溝９を画成する構造を有している。
【０００７】
本発明はこの溝９を利用し、該溝９の端部に挿入して上記内掛け片７の内方変位を制限するキー部材と、該キー部材から張り出されて上記ケーブル外挿筒体のケーブル導入口３の一方口縁部４と他方口縁部５内面に沿接しキー部材の挿入をガイドする張り出しを有するケーブル保護カバーにおける開き止め具を提供するものである。
【０００８】
上記キー部材の一端部には上記溝９の端面においてフック形係止片６又は内掛け片７の端面に衝合しキー部材の挿入深さを設定するストッパーを設ける。
【０００９】
又上記キー部材の頂面に上記筒壁２に設けたほぞ孔に圧入し開き止め具を仮止めして置くためのほぞを設け、該仮止めされた開き止め具を取り外して上記溝の一端に挿入する。
【発明の効果】
【００１０】
本発明によれば、ケーブル外挿筒体のフック形係止片６と内掛け片７によってケーブル外挿筒体１の筒壁２の長手に亘り形成された溝９を利用し、この溝９の端部に上記開き止め具を挿入するのみで、ケーブル外挿筒体１のケーブル導入口３の拡開を有効に防止し、これによるケーブル外挿筒体１の自然脱落の問題を適切に解決することができる。
【発明を実施するための最良の形態】
【００１１】
図１に基づいて説明したように、現在汎用されているケーブル保護カバーは、一端面と他端面で開放せるケーブル外挿筒体１から成り、該ケーブル外挿筒体１の筒壁２に一端面から他端面に亘り一母線上において割設し延在せしめたケーブル導入口３を有し、該ケーブル導入口３をケーブル外挿筒体１の拡縮弾性に抗し拡開してケーブル８の導入を図る構成を有している。
【００１２】
又上記ケーブル導入口３の閉鎖状態を保持する手段として、上記ケーブル導入口３によって二分される一方の筒壁口縁部４に外方へ向けフック形係止片６を突設すると共に、他方の筒壁口縁部５に外方へ向け内掛け片７を突設し、ケーブル外挿筒体１を弾性に抗し縮閉しつつ、該内掛け片７を該フック形係止片６の先端部内面に掛け合わせケーブル外挿筒体１の復元弾性（拡開弾性）にて該掛け合わせ状態を保持し、ケーブル導入口３の閉鎖状態を保持している。
【００１３】
又上記掛け合わせを解除し上記ケーブル導入口３をケーブル外挿筒体１の弾性に抗し拡開することにより、上記ケーブル外挿筒体１内への架設ケーブル８、即ち電力又は通信ケーブルとこれらケーブル８ａを吊持する吊りケーブル８ｂの導入を図る構成を有している。
【００１４】
上記フック形係止片６は上記一方の筒壁口縁部４から立ち上がる立ち上がり部６ａと、該立ち上がり部６ａの端部から略鉤形に曲成された頂部６ｂと、該頂部６ｂの端部から内向きに曲成された係止部６ｃとを有し、全体としてフック形を呈する。
【００１５】
他方上記内掛け片７は上記他方の筒壁口縁部５から外方へ立ち上がる上記係止部６ｃと略同等の立ち上がり幅を有する平形片から成る。
【００１６】
上記フック形係止片６と内掛け片７は何れも筒壁２の母線に沿って延在し、筒壁２の両端面において終端する。
【００１７】
上記ケーブル外挿筒体１とフック形係止片６と内掛け片７は合成樹脂にて一体成形され、ケーブル外挿筒体１はフック形係止片６に対する内掛け片７の掛け合わせ解除状態において、ケーブル導入口３における拡縮弾性を有する。
【００１８】
上記ケーブル外挿筒体１の弾性に従い上記フック形係止片６の内面に内掛け片７を掛け合わせることによって、ケーブル外挿筒体１の内面に同筒体１の母線に沿い溝９を画成する構成となっている。該溝９は上記筒壁２内面、即ちケーブル外挿筒体１の内面で開放し且つ同筒壁２一端と他端、即ちケーブル外挿筒体１の一端と他端において開放している。
【００１９】
上記フック形係止片６と内掛け片７とによって画成される溝９は蟻形溝（台形溝）とする。具体的には上記フック形係止片６の立ち上がり部６ａは外側へ向け後傾し、係止部６ｃは内側へ向け前傾するように設けると共に、内掛け片７は外側方へ後傾するように設けて、両者６，７が係合した時に上記溝９が蟻形溝を形成し、係止部６ｃと内掛け片７の掛け合わせを解除し難い構成にする。
【００２０】
上記フック形係止片６と内掛け片７の掛け合わせを保持する開き止め手段として開き止め具１０を構成する。図２は該開き止め具１０の基本構成を示し、図３乃至図５は該基本構成を内在する開き止め具１０の第一変形例を示し、図８，図９は同第二変形例を示す。
【００２１】
図２に示すように上記開き止め具１０は、上記ケーブル外挿筒体１の上記溝９の端部に挿入して上記内掛け片７の内方変位を制限するキー部材１１と、該キー部材１１の頂面から張り出されて上記ケーブル外挿筒体１のケーブル導入口３の一方口縁部４と他方口縁部５内面に沿接しキー部材１１の挿入をガイドする張り出し１２を有する。
【００２２】
上記張り出し１２は上記内掛け片７の基端面（口縁部内面）に沿接して内掛け片７を規制し、解除防止効果を発揮する。
【００２３】
従って上記張り出し１２を以って内掛け片７の掛け合わせ解除方向への摺動を阻止する規制片と規定することができる。
【００２４】
上記開き止め具１０のキー部材１１は上記フック形係止片６と内掛け片７の係合によって形成される蟻形溝（台形溝）９と略同調する台形（楔形）にし、蟻形溝９内に台形キー部材１１を挿入することによってフック形係止片６と内掛け片７の係合をより確実に維持する。
【００２５】
又図５乃至図９に示すように、上記キー部材１１の一端部には上記溝９の端面においてフック形係止片６又は内掛け片７の端面に衝合しキー部材１１の挿入深さを設定するストッパー１３を設ける。
【００２６】
具体例として、上記キー部材１１の一端部から上記ストッパー１３を形成する舌片を垂設し、該舌片を上記フック形係止片６の頂部６ｂ端面に衝合して上記キー部材１１の挿入深さを設定する。
【００２７】
又上記キー部材１１の上面、即ち張り出し１２の上面にほぞ１４を設け、他方上記ケーブル外挿筒体１を形成する筒壁２の端部にほぞ孔１５を設け、図６Ａに示すように、該ほぞ孔１５に上記ほぞ１４を圧入し開き止め具１０を仮止めして置き、図６Ｂに示すように、該仮止めされた開き止め具１０を取り外して上記溝９の一端への挿入に供する。
【００２８】
又図８，図９に示すように、上記キー部材１１に隣接する一方のケーブル外挿筒体１の溝９に挿入されるキー１１ａと、同他方のケーブル外挿筒体１の溝９に挿入されるキー１１ｂを設けることができる。
【００２９】
図１１に示すように、上記キー部材１１は一端部に隣接する一方のケーブル外挿筒体１の溝９に挿入されるキー１１ａと、他方のケーブル外挿筒体１の溝９に挿入されるキー１１ｂとを同一軸線上に延設した同一外形の長さを有する。
【００３０】
上記キー部材１１の中間部に前記ストッパー１３を設け、即ちキー部材１１の中間部下面から突出する舌片を設け、該舌片を隣接するケーブル外挿筒体１の端面間に介挿しつつ、同端面に衝合して両ケーブル外挿筒体１の溝９に対する挿入深さを設定する。
【００３１】
上記図８，図９に示すキー部材１１においても、その頂面から左右へ張り出し１２を設け、該頂面に、好ましくは頂面の一端に上記ほぞ１４を突設する。
【００３２】
上記図３乃至図９に示すほぞ１４は開き止め具１０をケーブル外挿筒体１に仮止めして置く手段を構成すると共に、開き止め具１０をケーブル外挿筒体１の溝９に挿入又は抜去する際の摘み機能を有しており、これを挿脱のための摘みと規定することができる。
【００３３】
上記図３乃至図９に示すキー部材１１の側面に形成した凹所１６は何れも軽量化と材料節減のための凹所である。
【００３４】
図１１に示すように、上記吊りケーブル８ｂにスパイラルハンガーと称される既知の緩螺旋形状をしたケーブル支持具１７を巻装して電力又は通信ケーブル８ａの如き架設ケーブルを束縛する。
【００３５】
上記ケーブル支持具１７を巻装したケーブル８ａ，８ｂに、その保護を必要とする部位において上記ケーブル外挿筒体１を外挿し、該ケーブル外挿筒体１を架設ケーブル８に沿って移動しつつ、次のケーブル外挿筒体１を外挿し、複数のケーブル外挿筒体１を以って架設ケーブル８を保護する。
【００３６】
図１０に示すように、上記ケーブル外挿筒体１の溝９の端部内に上記各例に示すキー部材１１を挿入することにより上記内掛け片７の内方変位を制限する、即ち内方変位を制止し、フック形係止片６に対する内掛け片７の解除を防止する。よって温度変化や雪の重量、暴風雨に伴う変形によりケーブル外挿筒体１、即ちケーブル保護カバーが脱落する問題を有効に解消する。
【００３７】
上記開き止め具１０は構造が簡素で挿入操作が容易である。
【図面の簡単な説明】
【００３８】
【図１】従来のケーブル保護カバーの横断面図。
【図２】本発明に係る開き止め具の基本構造を示す斜視図。
【図３】上記基本構造に従い構成された開き止め具の第一変形例を示す斜視図。
【図４】同開き止め具の側面図。
【図５】同開き止め具の正面図。
【図６】Ａは開き止め具をケーブル保護カバーを構成するケーブル外挿筒体に仮止めした状態を示す斜視図、Ｂは同開き止め具をケーブル外挿筒体の溝に挿入する前の状態を示す斜視図。
【図７】上記開き止め具をケーブル保護カバーを構成するケーブル外挿筒体の溝に挿入した状態を示す斜視図。
【図８】上記基本構造に従い構成された開き止め具の第二変形例を示す斜視図。
【図９】同開き止め具の側面図。
【図１０】Ａは上記図２乃至図９に示す開き止め具をケーブル外挿筒体の溝に挿入した状態を示す横断面図、Ｂは図３乃至図５に示す開き止め具をケーブル外挿筒体の溝に挿入した状態とケーブル支持状態を示す縦断面図。
【図１１】上記第二変形例の開き止め具を隣接するケーブル外挿筒体の溝に挿入した状態とケーブル支持状態を示す縦断面図。
【符号の説明】
【００３９】
１…ケーブル外挿筒体、２…筒壁、３…ケーブル導入口、４…一方の筒壁口縁部、５…他方の筒壁口縁部、６…フック形係止片、６ａ…立ち上がり部、６ｂ…頂部、６ｃ…係止部、７…内掛け片、８…架設ケーブル、８ａ…電力又は通信ケーブル、８ｂ…吊りケーブル、９…溝、１０…開き止め具、１１…キー部材、１１ａ，１１ｂ…キー、１２…張り出し、１３…ストッパー、１４…ほぞ、１５…ほぞ孔、１６…凹所、１７…ケーブル支持具。
【図１】
2006340554.tif 000003
【図２】
2006340554.tif 000004
【図３】
2006340554.tif 000005
【図４】
2006340554.tif 000006
【図５】
2006340554.tif 000007
【図６】
2006340554.tif 000008
【図７】
2006340554.tif 000009
【図８】
2006340554.tif 000010
【図９】
2006340554.tif 000011
【図１０】
2006340554.tif 000012
【図１１】
2006340554.tif 000013